(57)【要約】【課題】  継目無し鋼管用の中空鋼片を連続鋳造によって製造するに当たり、凝固殻内面性状（平坦・空隙・内部割れ等）の改良を図る。【解決手段】  湾曲式の連続鋳造方法において鋳片を３／４周点まで引き上げる過程で、溶融芯を分離させて真空の空洞を持つ中空鋳片を形成する。該鋳片を伸直し、次いで切断するに当たり一対の楔型歯（上流側は傾斜、下流側は垂直）を鋳片に圧入して噛み切るように切断する。上流側端部は圧下・圧接・閉鎖し、下流側は開口状態になり、片端開口の中空鋼片が得られる。凝固殻内面の空隙防止のため、溶融芯が分離される部位で電磁撹拌する。内部割れを圧着して無害化するため、伸直後の鋳片を圧延機で圧下し、且つ切断後の鋼片を軸方向圧縮加工する。製管に該鋼片を供すれば旋孔圧延が省略される。【選択図】  図１
2013000785.tif 000002
【特許請求の範囲】
【請求項１】
下記連続鋳造方法によって形成された中空鋳片を切断して鋼片とする方法において、切断に当たり鋳片を挟んで配置された一対の楔形歯を対称的に該鋳片に圧入して噛み切るように切断するとともに、該楔形歯の楔の形状を引抜方向の上流側は鋳片面に対して傾斜、下流側は垂直とすることにより該鋳片の先端形状を先細り型に変形させて空洞を圧接封鎖し、切断対面は垂直状に切り裂いて開口させ、よって片側開口の中空鋼片とすることを特徴とする中空鋼片の製造方法。
記
一種の湾曲式連続鋳造であって、鋳片引抜軌跡は３／４周の湾曲部と該湾曲部に後続する水平の直進部から構成され、鋳型断面寸法と湾曲半径と引抜速度の３要因を適切に組み合わせることにより鋳片内部に溶融芯を残したまま該鋳片を１／２周を越え、さらに鋳込み面から大気圧相当溶鋼高さ（約１．４ｍ）を越えて引抜き、該高さにおいて該溶融芯を凝固殻から分離させて真空の空洞を持つ中空鋳片を形成し、最上点の３／４周点において該鋳片を水平に伸直し、次いで該鋳片の空洞を部分的に閉鎖して切断することにより空洞を封入した鋼片とする連続鋳造方法。
【請求項２】
真空空洞が形成される部位の直下に設けられた電磁撹拌装置によりメニスカスを含めて溶融芯を撹拌し、凝固殻前面を平坦化させ且つ固液境界面の高濃度液相を掻き出してＣＯ反応を抑制して空隙形成を防止することを特徴とする請求項１に記載の中空鋼片の製造方法。
【請求項３】
鋳型断面形状を断面アスペクト比が１以上３以下の円又は長円又は方形又は多角形とし、鋳片を伸直した後、該鋳片に少なくとも１対のロールによって空洞を残存させるよう長軸方向に圧下を加えて凝固殻内部のワレを圧着させることを特徴とする請求項１又は請求項２に記載した中空鋼片の製造方法。
【請求項４】
鋳片を切断して得られた鋼片を直ちにプレスにより鋼片軸方向に圧縮して凝固殻内部のワレを圧着させることを特徴とする請求項１又は請求項２又は請求項３に記載した中空鋼片の製造方法。
【発明の詳細な説明】
【技術分野】
【０００１】
本発明は継目無し鋼管の製造に供される中空鋼片の製造方法に関している。
【背景技術】
【０００２】
継目無し鋼管の製造工程は、素材として丸又は角の鋼片を製造する製鋼、該鋼片を中心軸にそって孔を貫通させて粗管とする旋孔圧延、次いで旋孔された粗管を延伸する延伸圧延、次いで延伸された管の外径・肉厚を整える定径圧延から成る。各圧延には本体成形機の他に適時補助圧延機が付設され、また上記工程間には必要に応じて再加熱工程が挿入される。
【０００３】
旋孔工程では、旋孔機としてマンネスマン・ピアサーやプレス・ピアシング・ミルが使用されるが、設備が大仕掛けになり相応のコストも要する。また旋孔工程では素材の中心部に厳しい加工がなされるので良質の素材も要求される。
【０００４】
連続鋳造による中空の鋼片や粗管の製造が可能になれば旋孔工程が省略され、大きな経済効果が得られるが未だに成功していない。
先行例１：  非特許文献１には、実験用の特殊な連続鋳造機により中空円断面鋼片を試作した結果が詳述されている。
【０００５】
試行された連続鋳造方法（図５参照）は以下である。湾曲式連続鋳造において鋳型断面形状を円とし、鋳片の引抜軌跡を１／４周の最下点を越えて１／２周以上に周回させる。鋳造条件を適切に設定して１／２周部位において所望寸法の溶融芯を残存させる。次いで鋳片をガストーチで溶断して一部が開口すると空気が侵入する。溶融芯のレベルが鋳込み面と同一となるまで下がり安定する。該レベル以後は中空鋳片として引き抜かれる。適切な長さで切断して円断面中空鋼片とする。
【０００６】
上記中空鋼片を管用の素材に供するには、凝固殻の内面性状が重要な条件、即ち延伸加工に耐え得るかどうかが問題となる。ステンレス鋼（ＪＩＳ：ＳＵＳ３０４相当）では内面性状は平坦であったが、高炭素鋼では凹凸が大きいと言う問題が判明した。対策として鋳込面から約１５０°部位に電磁撹拌装置を付設し、溶融芯を撹拌した結果、高炭素鋼においても凝固殻内面が平坦化された。鋼管の試作においてステンレス鋼と低炭素鋼では良品が得られたと明記されている。高炭素鋼については記載が無い。問題有りと推測される。
【０００７】
上記の実験データである鋳片断面のマクロ組織を詳細に見ると、ステンレス鋼では見当たらないが、低炭素鋼、高炭素鋼には凝固殻の内面直下に小さな割れ目状の空隙が所々認められる。これについては何も説明されていないが無視できない現象である。該空隙は、中心まで凝固させる通常の連続鋳造方法では収縮孔ないし多孔質に成長するものと見なされる。該空隙の大きさは１ｍｍないし数ｍｍ以下であるが、鋳造中及び鋳造後の冷却中に空気により酸化する。鋼片として再加熱する場合には時間が長いので酸化が一層進行し、圧延に際して開口して拡大し、鋼管内面キズとなることは明白である。従って平坦化だけではなく、空隙消滅が重要な条件となることが解る。
【０００８】
先行例２：  特許文献１には前記連続鋳造方法を改良・発展させた新規の方法が開示されている。引抜中の鋳片を開口せず真空中空として引き上げ、該中空鋳片を圧下して中実材とする方法である。該方法では凝固殻内面直下に空隙欠陥やワレが発生しても圧下により圧接・消滅し、何ら問題とならない。しかし中実化に伴い中空と言う特徴が失われる。
【０００９】
先行例３：  特許文献２には上記連続鋳造方法の応用として、真空空洞を内封した鋼片の製造方法が開示されている。当方法の場合も先行例１と同様に空隙欠陥が発生する。該鋼片の両端を常温で切断除去すると内面が酸化していない中空粗管とすることができる。しかし再加熱時に該空隙は酸化侵攻され既述のごとく管用の素材として適格性を欠く。
【００１０】
ところで連続鋳造では凝固殻内の熱応力や曲げ応力に起因する内部割れがしばしば発生する。多くの場合次工程の熱間圧延において圧着して問題とならないが、中空鋳片の場合、殻内面にワレがあると鋼片の再加熱時に酸化反応が侵攻し、旋孔圧延、延伸圧延に際してワレが拡大するので当欠陥も管用の素材としては許容されない。
【００１１】
以上から連続鋳造鋳片を素材とする製管において旋孔圧延を省略又は軽減するには、１）鋼片は中空状であり少なくとも片端は開口していること、２）該鋼片は旋孔圧延・延伸圧延に耐えられるよう凝固殻内面には加工性を阻害する材料欠陥が無いことの二つが条件となることが解る。外径・内径が調節できるならばさらに好都合である。
【先行技術文献】
【非特許文献】
【００１２】
【非特許文献１】R. Tarmann, W. Poppmeier; Journal of Metals, April 1966, 453
【特許文献】
【００１３】
【特許文献１】特許第２９８９７３７
【特許文献２】特許第３６８４７３１
【発明の概要】
【発明が解決しようとする課題】
【００１４】
本願発明は継目無し鋼管に供することができる中空鋼片を連続鋳造によって製造することを目的とし、そのため凝固殻の内面性状を旋孔・延伸加工に耐えられる水準まで向上させることを解決すべき課題とする。
より具体的には、中空鋳片を形成する過程において凝固殻と溶融芯を分離させる際に殻内面に発生する小さな割れ目状の空隙を防止すること、且つ凝固殻内に連なる種々の内部割れの悪影響を消去することである。
【課題を解決するための手段】
【００１５】
上記課題を解決するため以下の方法を採用する。
第１の発明は、下記連続鋳造方法によって形成された中空鋳片を切断して鋼片とする方法において、切断に当たり鋳片を挟んで配置された一対の楔形歯を対称的に該鋳片に圧入して噛み切るように切断するとともに、該楔形歯の楔の形状を引抜方向の上流側は鋳片面に対して傾斜、下流側は垂直状とすることにより該鋳片の先端形状を先細り型に変形させて空洞を圧接封鎖し、切断対面は垂直状に切り裂いて開口させ、よって片側開口の中空鋼片とすることを特徴とする中空鋼片の製造方法である。
記
一種の湾曲式連続鋳造であって、鋳片引抜軌跡は３／４周の湾曲部と該湾曲部に後続する水平の直進部から構成され、鋳型断面寸法と湾曲半径と引抜速度の３要因を適切に組み合わせることにより鋳片内部に溶融芯を残したまま該鋳片を１／２周を越え、さらに鋳込み面から大気圧相当溶鋼高さ（約１．４ｍ）を越えて引抜き、該高さにおいて該溶融芯を凝固殻から分離させて真空の空洞を持つ中空鋳片を形成し、最上点の３／４周点において該鋳片を水平に伸直し、次いで該鋳片の空洞を部分的に閉鎖して切断することにより空洞を封入した鋼片とする連続鋳造方法。
【００１６】
上記の『記』で記述した内容は先行例２の方法そのものである。
【００１７】
第２の発明は、真空空洞が形成される部位の直下に設けられた電磁撹拌装置によりメニスカスを含めて溶融芯を撹拌し、凝固殻内面を平坦化させ且つ固液境界面の高濃度液相を掻き出してＣＯ反応を抑制して空隙形成を防止することを特徴とする第１発明に記載の中空鋼片の製造方法である。
【００１８】
第３の発明は、鋳型断面形状を断面アスペクト比が１以上３以下の円又は長円又は方形又は多角形とし、鋳片を伸直した後、該鋳片に少なくとも１対のロールによって空洞を残存させるよう長軸方向に圧下を加え、凝固殻内部のワレを圧着させることを特徴とする第１発明又は第２発明に記載した中空鋼片の製造方法である。
【００１９】
第４発明は、鋳片を切断して得られた鋼片を直ちにプレスにより鋼片軸方向に圧縮して凝固殻内部のワレを圧着させることを特徴とする第１発明又は第２発明又は第３発明に記載した中空鋼片の製造方法である。
【発明の効果】
【００２０】
本発明の方法によると、第１に鋳片を切断して中空鋼片とする際、新規の圧入分断方式を採用しているので、切断部の上流側は凝固殻を圧接切断して空洞の封鎖状態を維持し、下流側は開口させるので容易に片端開口の中空鋼片が得られ、管用鋼片の第１条件が解決される。
【００２１】
第２に中空を形成する過程で凝固殻内面に発生し易い小さな割れ目状の空隙欠陥は、以下の対策でその形成が防止される。即ち空洞側の液面を含めて液面直下の電磁撹拌により、１）凝固殻の内面が平坦化されること、２）固液境界面の高濃度液相を洗い出してＣＯ反応に起因する気泡発生を抑制することの二つの効果に支えられている。
【００２２】
第３に、連続鋳造鋳片ではしばしば内部ワレが発生するが、該欠陥が凝固殻内面に近い場合は旋孔圧延や延伸圧延において内面キズに拡大する。本発明の方法によると真空中空鋳片は伸直後の鋳片の側面圧下により鋳片軸と平行状の内部割れは圧着して無害化される。さらに中空鋳片は切断後直ちに熱間で軸方向圧縮加工を受けるので軸と直交状のワレ面が圧着して消滅する。合わせて管用鋼片として第２の条件が解決される。
以上の効果により製管に際して中空連続鋳造鋼片を使用することが可能となって旋孔圧延工程が省略され、設備費、操業費が削減される。
【図面の簡単な説明】
【００２３】
【図１】本発明を実施する連続鋳造装置の概略側面図である。
【図２】本発明における真空中空鋳片を切断する方法を説明する図である。
【図３】鋳片の圧下による内部割れの変化を説明する図で鋳片の横断面を示す。
【図４】鋼片の圧縮加工による内部割れの変化を説明する図で鋼片の縦断面を示す。
【図５】先行例１における連続鋳造方法の引用図であり、電磁撹拌の位置を示す。
【図６】溶融芯を分離した中空鋳片の横断面の写真で空隙の例を示す。
【発明を実施するための形態】
【００２４】
図１に従って本発明の管用中空鋼片の製造方法を説明する。図１において全体構造は一種の湾曲式連続鋳造であり、鋳片の引抜軌跡は３／４周の湾曲部と後続する水平伸直部から成る。タンデイシュ１から鋳型２に供給された溶鋼３は該鋳型２内で冷却され、凝固殻を形成しながらピンチロール５により適切な速度で連続的に引抜かれて鋳片４を形成する。該鋳片４は２次冷却帯６を経て１／２周点を越え、さらにに鋳込面から大気圧相当の溶鋼高さ（約１．４ｍ）Ｑ点に達して溶融芯を分離し、空洞７’が形成され、真空の中空鋳片７となる。該鋳片７は最上点の３／４周点で伸直ロール８により水平に伸直される。
【００２５】
次いで該鋳片７は切断機９により所定長さに切断される。切断に際して、図２に示すように１対の楔形切断歯２１を鋳片７を挟んで対称的に圧入して噛み切る方法でなされる。
楔形歯の上流側の面２２は鋳片軸に対して傾斜、下流側の面２３はほぼ垂直になっていて、圧入の進行につれ上流側では凝固殻は傾斜状に圧下され、殻内面が互いに圧接して真空の空洞７’が封入される。その後分断に到る。下流側ではほぼ垂直に切り裂かれ端部の圧下は起こらない。対面圧接には到らず歯先が空洞に届くと通気する。その後開口２４ができ分断される。切断面の開口周辺はダレる。しかし片端開口の中空鋼片１０が得られる。封入と切断と鋼片側開口の３工程が１台の機械で同時に且つ容易になされる。
上記片端開口の中空鋼片１０は通常の次工程である旋孔工程を省略してプラグミルによる延伸圧延に供される。
【００２６】
次ぎに材質問題の解決方法を説明する。
第１に、本発明者は高炭素鋼の中空鋳片の試作において凝固殻内面には小さな空隙が発生することを把握している。既述のように内面性状は管用鋼片には重要な問題で空隙は不可避の問題である。先行例１では、低炭素の場合は問題なく高炭素では内面の凹凸がひどく、対策として図５に示すように空洞が形成されるかなり手前（１５０°部位）で電磁撹拌を施し平坦化に成功している。しかし空隙問題は意識されていない。
【００２７】
図６は同様の条件で試作された高炭素鋼鋼片の内面性状を示す写真である。電磁撹拌により同様に平坦化されているが、撹拌後の保持があるため空隙が発生していることが解る。
【００２８】
本願発明では図１に示されるように、回転磁界の電磁撹拌装置１３は１９０°部位の下流、即ち空洞側液面を含んでなされる。その結果高炭素鋼においても凝固殻内面は平坦化されるだけでなく、固液境界の高濃度液相を掻き出して空隙を誘発するＣＯ反応を防止する。空隙防止には撹拌部位が重要な要件となる。
【００２９】
第２に、得られる鋼片１０の断面形状は円が望ましいが、鋳型断面形状は円だけではなく長円、正方形、長方形、多角形が用いられる。長８角形が望ましい。その理由を以下に述べる。
図１において、伸直された中空鋳片７を圧着圧延機１１により空洞が消滅しない条件で断面長軸方向に圧下し、ワレを圧着・消滅させる。通常の圧延においては軽度のワレは圧着して無害化されるが、旋孔圧延や粗管の延伸圧延では内面近傍のワレは内面キズに拡大し易いので上記圧着処理が必要になる。
【００３０】
１回の圧下で円とするには鋳型断面のアスペクト比は１よりも大きい方が良い。即ち長円、長方形、長多角形がよい。長軸側を圧下して円に誘導する。円では水平垂直の２回の圧下が必要になる。圧着には圧下率が関係する。圧着を確実にするには圧下率は大きい方、例えば２０％以上が良い。軽圧下は逆にワレを助長する。この理由からアスペクト比は１．２以上が良い。該比に１．０を含めた理由は、円では水平・垂直の２回の圧延により同じ効果が得られるからである。
【００３１】
図３は圧下により鋳片軸と平行状のワレが圧着する状態（点線は圧着後を示す）を説明する。鋳片断面形状は長８角形、孔型形状は円である。適切な形状関係を設定すると圧下により圧下方向・幅方向とも圧縮応力下で変形させることができる。即ち断面全体で圧着・消滅に都合良い。説明図では圧下方向は垂直だが図１に示すように実機では水平である。
【００３２】
アスペクト比をさらに大きくすると鋳造能率は比例的に増加するが圧着圧延機の他に円形に誘導する成形圧延機が必要になる。適切に選定すればよい。アスペクト比の上限を３とした理由は、圧延機台数よりも鋳造能率の強化を優先する場合の無難な条件である。さらに大きくすると成形圧延の負担が過大となる。
【００３３】
第３に、図４に示すように、切断されて得られた鋼片１０は直ちにプレス１２により軸方向に圧縮加工する。その理由はワレ面が軸と平行状の場合には、圧延により圧着され易いが垂直状の場合には不完全になることがある。軸方向の圧縮加工はこの問題の解決策になる。必要な圧下力は切断装置と同等であり、必要な圧下率は原理的には約１％だが諸要因のバラツキから数％例えば３％が望ましい。
なお圧縮に際して、プレスヘッド４１の中心部には円錐状の旋孔突起４２が付けてあり、開口側切断面の乱れた開口形状を修正する。これは延伸圧延の開始を円滑にする。
以上の圧下と圧縮により鋳片内部のワレは圧着して、旋孔圧延、延伸圧延には無害となる。
【実施例】
【００３４】
楔形歯を圧入する際の鋳片切断部の形状の変化をプラスティシン・モデルで検証した。
試験片形状は外径５０ｍｍ、内径２５ｍｍ、長さ１００ｍｍであり、歯の開き角を片側４５°他を０°とし、バイスによって圧入した。片側１５ｍｍの圧入で傾斜側の内面は圧接したが垂直側は未開口であった。さらに圧入を進めると歯先が空洞内に侵入し、開口して切断された。開口の形状はかなりダレていて（内面のヘリが中心に向かって引き込まれた状態）旋孔プラグの押し込みには不都合な形状となった。入口形状の矯正加工が必要と判明した。圧縮加工において円錐突起を挿入する理由となっている。
【００３５】
以下本発明の方法によって中径管用の中空鋼片を製造する場合の具体的条件の一例を説明する。
鋳型断面寸法：  ８角形  １６４ｍｍ×２５６ｍｍ、Ｃ＝５７ｍｍ
鋳片断面寸法：  ８角形  １６０ｍｍ×２５０ｍｍ、Ｃ＝５６ｍｍ
湾曲半径Ｒ：    ３．９ｍ
実効機長Ｌ：    π×Ｒ＋１．４＝１３．５
凝固定数ｋ：    ２３ｍｍ／√ｍｉｎ
凝固殻厚ｄ：    ４０ｍｍ
凝固殻厚比α：  ４０／１６０／２＝０．５
単重ｗ：        ２００ｋｇ／ｍ
凝固時間ｔ：    ３ｍｉｎ
引抜速度Ｖ：    ４．５ｍ／ｍｉｎ
鋳造能率ｐ：    ５４ｔ／ｈ
電磁撹拌部位：  １９０°〜２００°
圧着圧下率ｈ：  ０．３０
楔形歯開き角：  上流側４５°、  下流側０〜２０（曲面）
圧縮圧下率ｌ：  ０．０３
鋼片断面寸法：  円、外径１７５ｍｍφ、内径８０ｍｍφ
【００３６】
図６は高炭素鋼の１６０ｍｍ角鋳片の連続鋳造において溶融芯を分離した鋳片の横断面の性状を示す写真である。電磁撹拌を終えた０．５分後の状態であり、凝固殻内面には空隙の発生が見られる。撹拌しつつ分離することの効果を読みとることができる。
【産業上の利用可能性】
【００３７】
本願発明の連続鋳造による中空鋼片の製造方法は、既存の同タイプの連続鋳造機を部分改造して実施することができ、既存工場の製造可能な品種を拡張することができる。
【符号の説明】
【００３８】
１：タンディシュ    ２：鋳型    ３：溶鋼    ４：鋳片    ５：ピンチロール    ６：２次冷却帯    ７：中空鋳片    ７’：真空空洞    Ｑ：空洞側液面    ８：伸直ロール    ９：切断機    １０：片端開口中空鋼片    １１：圧着圧延機    １２：プレス    １３：電磁撹拌装置    ２１：  楔形歯    ２２：傾斜面    ２３：垂直面    ２４：開口    ４１：プレスヘッド    ４２：円錐突起
【図１】
2013000785.tif 000003
【図２】
2013000785.tif 000004
【図３】
2013000785.tif 000005
【図４】
2013000785.tif 000006
【図５】
2013000785.tif 000007
【図６】
2013000785.tif 000008